(57)【要約】      （修正有）【課題】放送送出チャンネルが変わる地域を移動しながら放送を視聴・聴取している場合でも、測位手段を使用せずに、最適チャンネルへの切替を自動で行うシステムを提供する。【解決手段】放送受信機がＩＣ乗車券の記憶部に記憶されている乗車情報を受信する第１ステップと、前記放送受信機が受信した乗車情報をチャンネル切替情報提供サーバに向けて送信する第２ステップと、前記チャンネル切替情報提供サーバが受信した乗車情報を基にして、チャンネル切替情報提供サーバの記憶部に記憶されているチャンネル切替情報の中から、地域・時刻毎に最適なチャンネル切替情報を取り出し、前記放送受信機に向けて送信させる第３ステップを具備する放送受信方法。【選択図】図２
2010171822.tif 000002
【特許請求の範囲】
【請求項１】
チャンネル切替情報提供サーバと、該チャンネル切替情報提供サーバに接続される放送受信機とを備えた放送受信システムであって、
チャンネル切替情報提供サーバは、
チャンネル切替情報を記憶しているサーバ記憶部と、
前記サーバ記憶部に記憶されているチャンネル切替情報の中から、チャンネル切替情報提供サーバが受信した乗車情報を基にして、地域・時刻毎に最適なチャンネル切替情報を取り出し、送信させるサーバ制御部
とを具備してなり、
放送受信機は、
ＩＣ乗車券の記憶部に記憶されている乗車情報を受信する乗車情報受信部と、
チャンネル切替情報保持部と、
前記乗車情報受信部が受信した乗車情報をチャンネル切替情報提供サーバに送信させ、該チャンネル切替情報提供サーバから該乗車情報に基づいた地域・時刻毎に最適なチャンネル切替情報を受信させ、該受信した地域・時刻毎に最適なチャンネル切替情報を前記チャンネル切替情報保持部に記憶させ、該記憶された地域・時刻毎に最適なチャンネル切替情報を時刻毎に読み出させて該放送受信機で同一の放送を行うチャンネルへのチャンネル切替を自動的に行う受信機制御部
とを具備してなる
ことを特徴とする放送受信システム。
【請求項２】
チャンネル切替情報提供サーバと、該チャンネル切替情報提供サーバに接続される放送受信機とを備えた放送受信システムにおける放送受信方法であって、
前記放送受信機がＩＣ乗車券の記憶部に記憶されている乗車情報を受信する第１ステップと、
前記放送受信機が受信した乗車情報を前記チャンネル切替情報提供サーバに向けて送信する第２ステップと、
前記チャンネル切替情報提供サーバが受信した乗車情報を基にして、チャンネル切替情報提供サーバの記憶部に記憶されているチャンネル切替情報の中から、地域・時刻毎に最適なチャンネル切替情報を取り出し、前記放送受信機に向けて送信させる第３ステップと、
前記放送受信機が受信した地域・時刻毎に最適なチャンネル切替情報を自身のチャンネル切替情報保持部に記憶させる第４ステップと、
前記放送受信機が自身のチャンネル切替情報保持部に記憶されている地域・時刻毎に最適なチャンネル切替情報を時刻毎に読み出して該放送受信機で同一の放送を行うチャンネルへのチャンネル切替を自動的に行う第５ステップ
とを具備することを特徴とする放送受信方法。
【発明の詳細な説明】
【技術分野】
【０００１】
本発明は放送受信システム及び放送受信方法に関する。特に、例えばバスや電車と言った乗り物で長時間に亘って移動しながら放送を視聴・聴取する際に好適な放送受信システム及び放送受信方法に関する。
【背景技術】
【０００２】
移動しながら放送を視聴・聴取する際、放送送出チャンネルは地域によって異なる。すなわち、現在行われているテレビ放送（ラジオ放送）では、同一放送局・系列局であっても、地域によって、使用されているチャンネル（周波数）が異なる。その結果、自動車や携帯電話機などに搭載されていて移動しながら放送を受信できる放送受信機では、或るチャンネルの放送波を受信しながら移動した為に該放送波が届く範囲から外れた場合、それまで受信していたチャンネルの放送を視聴・聴取できなくなる。従って、移動しても視聴・聴取中の番組を引き続き視聴・聴取する為には、それまで視聴・聴取していた番組と同一の番組を放送している移動先エリアでのチャンネルに切り替える必要がある。すなわち、同一の放送を視聴・聴取し続ける為には、移動先地域でのチャンネルに合わせて受信し直す必要がある。
【０００３】
さて、受信機の移動に対応してチャンネルを切り替える方法として、使用者がチャンネルの操作をすることなく、連続して同一番組を見ることを可能とすることを目的として、位置情報を計測する手段を備えたナビゲーションシステムの記憶装置に記憶したテレビジョン用放送局チャンネル情報を利用して、同放送局、あるいは同系列放送局のチャンネルに自動で切り換えを可能とすることで番組を切れ目なく連続して見ることを可能にすることを特徴とした移動体用テレビジョン受像機が提案（特開平７−２８４０３０号公報）されている。
【０００４】
又、ナビゲーションシステムとＴＶ受信装置とを接続し、車両走行に伴う地域の変化時、所望の放送をサーチする手間や時間を短縮することを目的として、自車位置を検出する手段及び地図データを記憶する手段を備えたナビゲーションシステムと、チャンネルサーチを行うとともに受信局の信号強度データを出力する手段を備えるＴＶチューナのフロントエンドと、前記フロントエンドで受信された信号の映像信号に含まれるＶＩＴＳのテスト信号を基準信号と比較して同一放送を検索する検索回路と、前記ナビゲーションシステムのエリア別に、受信局のチャンネル番号、信号強度、ＶＩＴＳのテスト信号波形データを記憶するメモリ回路と、ＴＶ視聴を行わずに走行している際には、前記フロントエンドにチャンネルサーチを行わせ、受信信号ごとに信号強度を監視し、信号強度が所定レベル以上の場合、前記ナビゲーションシステム上のエリア別に、前記受信局のチャンネル番号、信号強度、及びテスト信号波形とを前記メモリ回路に記憶させ、ＴＶ視聴を行いながら走行している際には、受信中の局の信号強度を監視し、信号強度が所定レベル以下になった場合、前記メモリ回路の記憶データから前記ナビゲーションシステム上の現在走行中のエリアについて、所定レベル以上の電界強度の局を選択し、前記検索回路により、該局が受信中の放送と同じテスト信号波形を持つ局か否かを判断させ、同一放送の局であれば、前記フロントエンドを制御してその局に切り換える制御部とを備えたことを特徴とする自動選局ＴＶチューナが提案（特開平８−１４０００４号公報）されている。
【０００５】
又、自動車等の移動体に搭載された受信装置が移動しながら放送を受信している時に、受信すべき信号の送信局が切り替わるため受信可能な放送信号や放送周波数が次々に変化する場合においても、継続的に番組を視聴可能とすることを目的として、複数の信号が多重された伝送信号を受信する受信装置において、多重された伝送信号から希望する信号を分離する多重信号分離手段と、該多重信号分離手段で分離した信号を復調する信号復調手段と、該信号復調手段の復調結果として出力されたデータから、任意のデータを分離するデータ分離手段と、受信装置の位置を検出する位置情報検出手段と、各手段の制御を行なう制御手段と、受信装置の位置に応じた分離すべき信号のチャンネルの対応を表わす選局情報を記憶する選局情報記憶手段とを備え、前記制御手段は、前記データ分離手段から、前記選局情報を取得して前記選局情報記憶手段に記憶させる一方、前記制御手段は、前記位置情報検出手段が出力する位置情報と前記選局情報記憶手段に記憶した選局情報とに基づき、前記多重信号分離手段で分離すべきチャンネルを決定することを特徴とする受信装置が提案（特開２００１−５３６３５号公報）されている。
【０００６】
又、電車などの公共交通手段での移動受信時におけるチャンネル切り替えを容易に行うことを目的として、携帯型放送受信端末と受信情報生成装置とから構成される放送受信システムであって、前記携帯型放送受信端末は、移動中の継続受信のために必要となる受信情報を記憶する第１の記憶手段と、現在の時刻を計測する時計手段と、前記第１の記憶手段に記憶された前記受信情報と、前記時計手段で計測された現在の時刻とを比較して、受信可能なチャンネルを判定するチャンネル判定手段とを備え、前記受信情報生成装置は、交通手段を選択する交通手段選択手段と、インターネットから前記交通手段選択手段で選択された交通手段の運行情報を抽出する運行情報抽出手段と、放送局の放送エリア情報を記憶する放送エリア情報記憶手段と、前記運行情報抽出手段で抽出された前記運行情報と、前記放送エリア情報記憶手段に記憶された前記放送エリア情報とを比較して、前記受信情報を生成する受信情報生成手段と、前記受信情報生成手段で生成された前記受信情報を記憶する第２の記憶手段とを備えた放送受信システムが（特開２００７−２２８５６３号公報）されている。
【０００７】
又、利用者が移動しようとしている目的地を自動で特定し、その目的地が含まれる地域に割り当てられているチャンネルリストを取得することを目的として、あるチャンネルでテレビ放送送信されたテレビ放送を受信するテレビ受信部と、各種サービスに利用可能なＩＣチップと、所定の地域においてテレビ放送送信に用いられているチャンネルの一覧情報を記憶した記憶部とを含んで構成される携帯端末装置であって、前記テレビ受信部は、前記ＩＣチップに記録された、あるサービスを利用するために特定されるべき目的地に関する情報を基に、当該目的地を含む地域においてテレビ放送送信に用いられているチャンネルの一覧情報を前記記憶部から取得し、その取得したチャンネルでテレビ放送送信されたテレビ放送を受信する携帯端末装置が（特開２００８−２８７２５号公報）されている。
【先行技術文献】
【特許文献】
【０００８】
【特許文献１】特開平７−２８４０３０号公報
【特許文献２】特開平８−１４０００４号公報
【特許文献３】特開２００１−５３６３５号公報
【特許文献４】特開２００７−２２８５６３号公報
【特許文献５】特開２００８−２８７２５号公報
【発明の概要】
【発明が解決しようとする課題】
【０００９】
ところで、特許文献１，２，３提案の技術では、例えば位置情報を必要とする。この為、測位手段を常に動作させる必要が有る。又、放送エリアの地図情報が必要となる。よって、消費電力が多くなり、又、必要メモリ量が多くなり、携帯性の特長が低下する。
【００１０】
特許文献４提案の技術は、公共交通手段の運行情報提供サーバからインターネットを介して取り込んだ乗車交通手段の運行情報と、放送エリア情報記憶部に記憶されている放送エリア情報とを基にして、先ず、移動中に放送番組を継続受信する為に必要な受信情報を受信情報生成装置で生成し、この生成された受信情報を記憶手段（メモリーカード）に記憶させておき、この記憶手段（メモリーカード）に記憶された受信情報を利用しようとするものである。従って、突然の出張と言った場合には、上記の如きの準備は殆ど不可能である為、利用できない。又、忙しい今日にあっては、特許文献４が必要とするような準備作業は煩わしく、到底、利用できるものでは無い。
【００１１】
特許文献５提案の技術は、出発地・目的地などの目的地情報や出発時刻・到着時刻などの時刻情報が記録されている非接触ＩＣカード（各種サービスに利用可能なＩＣチップ）の目的地情報をサーバに送信し、サーバは前記目的地情報を基にして地域コードとチャンネルリスト情報とを対応付けたテーブルから地域コード毎に受信可能なチャンネルリストを選び出し、これを携帯端末装置に送信するものであることから、特許文献４の如きの煩わしさは解消されている。しかしながら、この提案の技術は、例えば大阪、名古屋、東京と言った地域でのチャンネル情報を手にするに過ぎない。すなわち、大阪でのチャンネル数、名古屋でのチャンネル数、東京でのチャンネル数を知るに過ぎないから、その場所場所でチャンネルを合わせる作業が必要になる。ところが、例えば新幹線に乗車している場合で説明すると、乗車している者は、今、何所の地域であるかは判らないことが多い。何所を走っているかは、時計を見て、何時であるから、大体、どの当たりであろうかと推察するに過ぎない。これでは、地域のチャンネル数を知っていても、チャンネル数を合わせる作業が煩瑣である。更には、大体どの当たりであると判っても、チャンネルの切替を要する領域に入ったか否かの正確な判断は中々できない。
【００１２】
従って、本発明が解決しようとする課題は、放送送出チャンネルが変わる地域を移動しながら放送を視聴・聴取している場合でも、測位手段を常時動かす必要がないことから消費電力が少なく、かつ、地図情報を保持する必要がないことから使用メモリが少なく、更には最適チャンネルへの切替が自動で行われ、ユーザの利便性が非常に向上した技術を提供することである。
【課題を解決するための手段】
【００１３】
前記の課題は、
チャンネル切替情報提供サーバと、該チャンネル切替情報提供サーバに接続される放送受信機とを備えた放送受信システムであって、
チャンネル切替情報提供サーバは、
チャンネル切替情報を記憶しているサーバ記憶部と、
前記サーバ記憶部に記憶されているチャンネル切替情報の中から、チャンネル切替情報提供サーバが受信した乗車情報を基にして、地域・時刻毎に最適なチャンネル切替情報を取り出し、送信させるサーバ制御部
とを具備してなり、
放送受信機は、
ＩＣ乗車券の記憶部に記憶されている乗車情報を受信する乗車情報受信部と、
チャンネル切替情報保持部と、
前記乗車情報受信部が受信した乗車情報をチャンネル切替情報提供サーバに送信させ、該チャンネル切替情報提供サーバから該乗車情報に基づいた地域・時刻毎に最適なチャンネル切替情報を受信させ、該受信した地域・時刻毎に最適なチャンネル切替情報を前記チャンネル切替情報保持部に記憶させ、該記憶された地域・時刻毎に最適なチャンネル切替情報を時刻毎に読み出させて該放送受信機で同一の放送を行うチャンネルへのチャンネル切替を自動的に行う受信機制御部
とを具備してなる
ことを特徴とする放送受信システムによって解決される。
【００１４】
又、チャンネル切替情報提供サーバと、該チャンネル切替情報提供サーバに接続される放送受信機とを備えた放送受信システムにおける放送受信方法であって、
前記放送受信機がＩＣ乗車券の記憶部に記憶されている乗車情報を受信する第１ステップと、
前記放送受信機が受信した乗車情報を前記チャンネル切替情報提供サーバに向けて送信する第２ステップと、
前記チャンネル切替情報提供サーバが受信した乗車情報を基にして、チャンネル切替情報提供サーバの記憶部に記憶されているチャンネル切替情報の中から、地域・時刻毎に最適なチャンネル切替情報を取り出し、前記放送受信機に向けて送信させる第３ステップと、
前記放送受信機が受信した地域・時刻毎に最適なチャンネル切替情報を自身のチャンネル切替情報保持部に記憶させる第４ステップと、
前記放送受信機が自身のチャンネル切替情報保持部に記憶されている地域・時刻毎に最適なチャンネル切替情報を時刻毎に読み出して該放送受信機で同一の放送を行うチャンネルへのチャンネル切替を自動的に行う第５ステップ
とを具備することを特徴とする放送受信方法によって解決される。
【発明の効果】
【００１５】
放送送出チャンネルが変わる地域を移動しながら放送を視聴・聴取している場合でも、測位手段を常時動かす必要がないことから消費電力が少なく、かつ、地図情報を保持する必要がないことから使用メモリが少なく、更には最適チャンネルへの切替が自動で行われることからユーザの利便性が非常に高い。
【図面の簡単な説明】
【００１６】
【図１】本発明の放送受信システムにおける放送受信機のブロック図
【図２】本発明の放送受信方法の概略図
【図３】ＩＣ乗車券における記憶情報例
【図４】チャンネル切替情報例
【図５】チャンネル切替情報例
【図６】チャンネル切替情報例
【図７】チャンネル切替情報例
【発明を実施するための形態】
【００１７】
本発明は放送受信システムである。この放送受信システムは、チャンネル切替情報提供サーバと、該チャンネル切替情報提供サーバに接続される放送受信機とを有する。前記チャンネル切替情報提供サーバは、チャンネル切替情報を記憶しているサーバ記憶部を具備する。かつ、前記サーバ記憶部に記憶されているチャンネル切替情報の中から、チャンネル切替情報提供サーバが受信した乗車情報を基にして、地域・時刻毎に最適なチャンネル切替情報を取り出し、送信させるサーバ制御部を具備する。尚、地域・時刻毎に最適なチャンネル切替情報は、○年○○月○○○日○○○○時○○○○○分○○○○○○秒に□駅で乗車して△線を経由して●年●●月●●●日●●●●時●●●●●分●●●●●●秒に□□駅で下車と言った乗車情報を基にして、該乗車中におけるチャンネルが切り替わる場所（×点、××点、…）での各々の時刻においてのチャンネル切替情報である。前記放送受信機は、ＩＣ乗車券の記憶部に記憶されている乗車情報を受信する乗車情報受信部を具備する。かつ、チャンネル切替情報保持部を具備する。更には、前記乗車情報受信部が受信した乗車情報をチャンネル切替情報提供サーバに送信させ、該チャンネル切替情報提供サーバから該乗車情報に基づいた地域・時刻毎に最適なチャンネル切替情報を受信させ、該受信した地域・時刻毎に最適なチャンネル切替情報を前記チャンネル切替情報保持部に記憶させ、該記憶された地域・時刻毎に最適なチャンネル切替情報を時刻毎に読み出させて該放送受信機で同一の放送を行うチャンネルへのチャンネル切替を自動的に行う受信機制御部を具備する。
【００１８】
他の本発明は放送受信方法である。この放送受信方法は、チャンネル切替情報提供サーバと、該チャンネル切替情報提供サーバに接続される放送受信機とを備えた放送受信システムにおける放送受信方法である。特に、上記放送受信システムにおける放送受信方法である。そして、放送受信機がＩＣ乗車券の記憶部に記憶されている乗車情報を受信する第１ステップを具備する。又、前記放送受信機が受信した乗車情報を前記チャンネル切替情報提供サーバに向けて送信する第２ステップを具備する。又、前記チャンネル切替情報提供サーバが、受信した乗車情報を基にして、チャンネル切替情報サーバの記憶部に記憶されているチャンネル切替情報の中から、地域・時刻毎に最適なチャンネル切替情報を取り出し、前記放送受信機に向けて送信させる第３ステップを具備する。又、前記放送受信機が受信した地域・時刻毎に最適なチャンネル切替情報を自身のチャンネル切替情報保持部に記憶させる第４ステップを具備する。又、前記放送受信機が自身のチャンネル切替情報保持部に記憶されている地域・時刻毎に最適なチャンネル切替情報を時刻毎に読み出して該放送受信機で同一の放送を行うチャンネルへのチャンネル切替を自動的に行う第５ステップを具備する。
【００１９】
以下、更に詳しく説明する。
【００２０】
図１は、本発明になる放送受信機のブロック図である。
【００２１】
１０は本発明になる放送受信機（端末）である。１１は放送受信部である。放送受信部１１は放送信号を受信する部分である。そして、制御部１２によって指定されたチャンネルに該当する周波数の信号を受信し、復調する。制御部１２は、受信制御、受信データ（映像、音声など）のデコード、表示制御などを行う。すなわち、制御部１２は、放送受信機１０における制御処理を全般的に行う。そして、放送受信部１１から出力された受信データは、制御部１２にて映像・音声などにデコードされ、表示部１４に表示されたり、音声提示部１５に提示される。１３はキー入力部である。キー入力部１３は、チャンネル設定などユーザからの放送受信に関する指示を受け付ける部分である。そして、キー入力部１３から入力された情報は制御部１２に入力され、受信制御、表示制御に利用される。１６は通信部（無線通信部）である。無線通信部１６は無線通信にて情報を授受する部分である。１７はＩＣ乗車券（ＩＣチップ：ＩＣカード）である。このＩＣ乗車券１７には、列車・バス等の交通機関の乗車情報（乗車券情報とも言う）が格納されている。尚、図示されていないが、放送受信機１０はＩＣ乗車券１７に格納されている乗車情報（乗車する電車のＩＤ情報）を接触（又は非接触）方式で受け取ることが出来る受信部を有している。そして、この受信部で受信した乗車情報は制御部１２に出力される。１８はチャンネル切替情報保持部である。このチャンネル切替情報保持部１８は、放送受信部１１で受信する放送信号の周波数（チャンネル）を切り替える為のチャンネル情報を保持する。
【００２２】
放送受信部１１で受信する放送信号の周波数（チャンネル）を切り替える為のチャンネル情報は、図１には図示されていないチャンネル切替情報提供サーバ（図２に示される）から受信したものである。すなわち、チャンネル切替情報提供サーバは、チャンネル切替情報を記憶しているサーバ記憶部（図示せず）を有している。又、チャンネル切替情報提供サーバは、前記サーバ記憶部に記憶されているチャンネル切替情報の中から、放送受信機１０から受信した乗車情報（ＩＣ乗車券１７に格納されていた乗車情報）を基にして、地域・時刻毎に最適なチャンネル切替情報を取り出し、そして放送受信機１０に向けて送信させるサーバ制御部（図示せず）を有している。
【００２３】
次に、本発明になる放送受信方法（処理フロー）を図２を基にして説明する。
【００２４】
先ず、放送受信機１０の起動時にＩＣ乗車券１７から得た情報を参照する。
【００２５】
ＩＣ乗車券１７には、乗車についての「乗車日」「発車時刻」「列車名」「利用区間」「乗車／下車」などの情報）が格納されている。ＩＣ乗車券１７の情報例が図３に示される。
【００２６】
ＩＣ乗車券１７に格納されている乗車券情報の中、何れかの乗車の発車時刻が放送受信機１０を起動した日時に近い場合、或いは何れかの乗車状態となっている場合、該当する乗車券による列車で使用できるチャンネル切替情報を取得する。
【００２７】
例えば、２００８年１２月１０日１０時３０分に放送受信機１０を起動し、ＩＣ乗車券情報が図３の状態だった場合、Ｎｏ．１の乗車券が乗車状態となっている為、この乗車券の列車（のぞみ５４号）で使用できるチャンネル切替情報を取得する。すなわち、制御部１２は、無線通信部１６を経由してチャンネル切替情報提供サーバにアクセスし、チャンネル切替情報提供サーバからチャンネル切替情報を取得する。つまり、制御部１２は、ＩＣ乗車券１７から得た乗車券情報をチャンネル切替情報提供サーバに送信する。乗車券情報を受信したチャンネル切替情報提供サーバは、受信した乗車券情報から該当する列車の運行情報を特定し、その列車が通過する地域・時刻を基に、記憶部に記憶されているチャンネル情報の中から、該当する列車での視聴・聴取が最適なチャンネル切替情報を地域・時刻毎に作成する。そして、放送受信機１０に向けて送信する。放送受信機１０の制御部１２は、前記チャンネル切替情報提供サーバが作成した最適チャンネル切替情報を無線通信部１６に受信させ、チャンネル切替情報保持部１８に保持させる。これにより、放送受信機１０は該当（乗車）列車の利用区間に対するチャンネル切替情報を保持する。
【００２８】
このチャンネル切替情報の例が図４に示される。
【００２９】
チャンネル切替情報提供サーバから最適なチャンネル切替情報を受け取った放送受信機１０は、前記最適チャンネル切替情報を用いてチャンネル切替を行う。例えば、図４のチャンネル切替情報の場合、視聴されていた２７ＣＨから１９ＣＨへのチャンネル切替が１０時４５分に行われる。他のチャンネルの場合には切替を行わない。その後、１９ＣＨから２４ＣＨへのチャンネル切替が１１時００分に行われる。そして、１１時２５分には、２４ＣＨから２０ＣＨへのチャンネル切替が行われる。
【００３０】
尚、上記の説明では、ＩＣ乗車券１７の選択条件（何れの乗物に乗車するかの決定）を、発車時刻が放送受信機１０を起動した日時に近い場合、又は乗車状態となっている場合としたが、発車時刻と放送受信機起動日時の近さは１時間以内の如きの時間で設定することを想定していた。これは、当日の列車遅延等の列車運行情報の変更にも対応できるようにする為である。しかしながら、ユーザの利便性を考えると、ユーザ自身が設定できるようにしたり、又は乗車時刻を利用せず、乗車日（又は乗車日前日）と言う形で日にちを設定するようにしても良い。又、どの乗車券に対するチャンネル切替情報を取得するかをユーザ自身が選択できるようにしても良い。
【００３１】
チャンネル切替情報の取得タイミングは、放送受信機１０の起動時としたが、乗車券の日時情報やユーザ選択によっては、放送受信機１０の起動前に取得するようにしても良い。
【００３２】
又、列車が遅延した時などの運行情報の変更に対応させる為、放送視聴・聴取中に、ユーザ操作により、再度、チャンネル切替情報提供サーバからチャンネル切替情報を得て時刻情報を更新できるようにもしても良い。又、放送受信機１０側で、ユーザ設定により、時刻補正を行えるようにしても良い。又、チャンネル切替情報提供サーバから放送受信機１０に更新情報を自動送信することも考えられる。
【００３３】
ＩＣ乗車券１７は、個々の列車に関する乗車券のみでは無く、定期券のような形態のものも考えられる。定期券の如きの形態の場合は、利用区間の情報は存在するが、乗車日時の情報がない為、列車（時刻）を特定できない。しかしながら、ＩＣ乗車券（定期券）１７が有する基本的情報の他にも、改札を通過した時刻の情報と言った如きの列車を絞り込める情報が書き込まれておれば、斯かる情報をチャンネル切替情報提供サーバに送信すれば良い。このようにすれば、チャンネル切替情報提供サーバは、改札通過時刻後の列車の運行情報を基に生成したチャンネル切替情報を放送受信機１０に送信できるようになる。尚、ＩＣ乗車券１７が定期券の如きの形態の場合、チャンネル切替情報は毎回同じなので、時刻情報のみ乗車列車に合わせて更新するようにしても良い。
【００３４】
チャンネル切替情報は、図５の如く、デジタル放送の場合のnetwork_idのような放送を特定する情報を追加していると、放送受信機１０側で切替前後のチャンネルの放送との一致を確認でき、より確実に同一放送にチャンネル切替を行うことが出来る。又、図６の如く、系列関係の情報や放送局名情報を追加しても良い。尚、追加情報はこれに限られない。
【００３５】
又、図７の如く、切替時刻の情報と切替先エリアの情報をチャンネル切替情報とし、実際に選局するチャンネルは予め放送受信機１０に保存されているエリア別チャンネル情報を利用するようにしても良い。
【００３６】
チャンネル切替情報を取得後に視聴・聴取を中断した場合、又、放送受信機１０起動前にチャンネル切替情報を取得している場合、視聴・聴取停止時に視聴・聴取していたチャンネルを受信しようとしたり、プリセットされているチャンネルリストに従ってチャンネル変更をしたりしても、視聴・聴取停止時やチャンネルリストプリセット時と異なる地域に移動していて、選局されるチャンネルでは放送が行われていないとか、目的の放送とは異なる放送が送出されている場合がある。例えば、図４のチャンネル切替情報を取得済みの状態で、１１時１５分に放送受信機１０を起動して視聴を始めた場合、既に２７ＣＨでは放送が送出されていない。１１時２５分になっても２７ＣＨの情報はない。存在した場合にも、別の放送を受信している可能性もある。
【００３７】
このような場合には、ユーザが自ら放送受信機１０を操作して、何らかの放送が受信されているチャンネルまで順にチャンネルをサーチするサーチ機能を起動して視聴・聴取したい番組を探せば、その後、チャンネル切替情報に基づいて自動的にチャンネル切替が行われる。尚、この方法はユーザの利便性が悪い。従って、チャンネル切替情報の時刻を遡ってチャンネル追従させると良い。具体的には、各プリセットチャンネルに対し、視聴・聴取が停止された時の時刻、チャンネル情報を記憶しておき、その時点から現在時刻までのチャンネル切替に対応させると良い。例えば、図４のチャンネル情報を取得済みの状態で、１１時１５分に２７ＣＨが選局された場合、１０時４５分、１１時００分のチャンネル変更を行っていないので、２７ＣＨから１９ＣＨへ、１９ＣＨから２４ＣＨへとなり、２４ＣＨを選局することになる。
【００３８】
図６のように系列情報が含まれているチャンネル切替情報の場合は、より簡単な処理でチャンネル切替を行うことが出来る。視聴・聴取停止時の放送局、或いはプリセットチャンネルリストで選択された放送局の系列情報と一致する最も現在時刻に近い過去のチャンネル切替情報に従ってチャンネル切替を行えば良い。例えば、図６のチャンネル切替情報で、１１時１５分の時点で系列ＩＤ＝０の放送局が選択された場合には、１１時００分のチャンネル切替情報に２４ＣＨへの切替情報が存在するので、２４ＣＨを選局すれば良い。
【００３９】
尚、上記にあっては、チャンネル切替はチャンネル切替情報に従って自動で切り替わる例のみを説明しているが、自動では切り替らず、ユーザから切替指示があった時点で切り替る、或いは切替先チャンネルがある旨を放送受信機１０上に提示し、ユーザが切替を選択した時点で切り替るようにすることも出来る。
【符号の説明】
【００４０】
１０    放送受信機（端末）
１１    放送受信部
１２    制御部
１３    キー入力部
１４    表示部
１５    音声提示部
１６    通信部
１７    ＩＣ乗車券
１８    チャンネル切替情報保持部
【図１】
2010171822.tif 000003
【図２】
2010171822.tif 000004
【図３】
2010171822.tif 000005
【図４】
2010171822.tif 000006
【図５】
2010171822.tif 000007
【図６】
2010171822.tif 000008
【図７】
2010171822.tif 000009